【手続補正書】
【提出日】平成20年1月30日(2008.1.30)
【手続補正１】
【補正対象書類名】明細書
【補正対象項目名】発明の名称
【補正方法】変更
【補正の内容】
【発明の名称】通信装置及び通信装置の映像表示制御方法
【手続補正２】
【補正対象書類名】明細書
【補正対象項目名】特許請求の範囲
【補正方法】変更
【補正の内容】
【特許請求の範囲】
【請求項１】  通信装置と接続された表示部に映像を表示する機能を有する通信装置であって、
当該通信装置と通信可能なリモート通信装置から、当該通信装置に対して送信される映像データと、当該映像データの数を示す第１の映像数情報とを受信する通信手段と、
前記第１の映像数情報及び前記リモート通信装置以外から入力され、前記表示部に表示するための映像データの数を示す第２の映像数情報に基づいて、前記通信手段が受信した映像データ及び前記入力された映像データを前記表示部に表示するための第１の表示レイアウト情報を決定する決定手段と、
前記決定手段によって決定された前記第１の表示レイアウト情報に従って、前記通信手段で受信した映像データと前記入力された映像データとを同一画面上に表示するように合成し、合成映像データを生成する第１の合成手段と、
前記第１の合成手段によって生成された合成映像データに対応する映像を前記表示部に表示する表示手段と、
を有することを特徴とする通信装置。
【請求項２】  前記通信手段は、前記第２の映像数情報を前記リモート通信装置に送信するとともに、前記リモート通信装置から送信される第２の表示レイアウト情報を受信し、
さらに、前記通信装置は、前記通信手段によって受信した前記第２の表示レイアウト情報に基づいて、当該通信装置に前記リモート通信装置以外から入力された映像データを合成する第２の合成手段を有し、
前記第２の合成手段で合成された映像データを前記通信手段が前記リモート通信装置に送信することを特徴とする請求項１に記載の通信装置。
【請求項３】  前記第１の合成手段は、前記第２の合成手段で合成された映像データと、前記リモート通信装置から送信された映像データとを合成することを特徴とする請求項２に記載の通信装置。
【請求項４】  前記決定手段は、前記第１の映像数情報または前記第２の映像数情報の少なくともいずれか一方が変化した場合には、表示レイアウト情報を再度決定することを特徴とする請求項１に記載の通信装置。
【請求項５】  複数の映像を、通信装置と接続された表示部の画面上に表示する機能を有する通信装置の映像表示制御方法であって、
当該通信装置と通信可能なリモート通信装置から、当該通信装置に対して送信される映像データと、当該映像データの数を示す第１の映像数情報とを受信する受信ステップと、
前記第１の映像数情報及び前記リモート通信装置以外から入力され、前記表示部に表示するための映像データの数を示す第２の映像数情報に基づいて、前記受信ステップで受信した映像データ及び前記入力された映像データを前記表示部に表示するための第１の表示レイアウト情報を決定する決定ステップと、
前記決定ステップによって決定された前記第１の表示レイアウト情報に従って、前記受信ステップで受信した映像データと前記入力された映像データとを同一画面上に表示するように合成し、合成映像データを生成する第１の合成ステップと、
前記第１の合成ステップによって生成された合成映像データに対応する映像を前記表示部に表示する表示ステップと、
を有することを特徴とする通信装置の映像表示制御方法。
【請求項６】  前記第２の映像数情報を前記リモート通信装置に送信する第１の送信ステップと、
前記リモート通信装置から送信される第２の表示レイアウト情報を受信するレイアウト情報受信ステップと、
受信した前記第２の表示レイアウト情報に基づいて、当該通信装置に前記リモート通信装置以外から入力された映像データを合成する第２の合成ステップと、
前記第２の合成ステップで合成された映像データを前記リモート通信装置に送信する第２の送信ステップと、を有することとを特徴とする請求項５に記載の通信装置の映像表示制御方法。
【請求項７】  前記第１の合成ステップでは、前記第２の合成ステップで合成された映像データと、前記リモート通信装置から送信された映像データとを合成することを特徴とする請求項６に記載の通信装置の映像表示制御方法。
【請求項８】  前記決定ステップでは、前記第１の映像数情報または前記第２の映像数情報の少なくともいずれか一方が変化した場合には、表示レイアウト情報を再度決定することを特徴とする請求項５に記載の通信装置の映像表示制御方法。
【手続補正３】
【補正対象書類名】明細書
【補正対象項目名】０００１
【補正方法】変更
【補正の内容】
【０００１】
【発明の属する技術分野】
本発明は、例えば、テレビ電話やテレビ会議システム等に用いられる、通信装置、及び通信装置の映像表示制御方法に関するものである。
【手続補正４】
【補正対象書類名】明細書
【補正対象項目名】０００７
【補正方法】変更
【補正の内容】
【０００７】
そこで、本発明は、上記の欠点を除去するために成されたもので、コストダウンを図りつつ、通信相手から転送される映像の表示内容を容易に認識等することができ、また、通信相手側の遠隔操作をも行える、通信装置、及び通信装置の映像表示制御方法を提供することを目的とする。
【手続補正５】
【補正対象書類名】明細書
【補正対象項目名】０００８
【補正方法】変更
【補正の内容】
【０００８】
【課題を解決するための手段】
斯かる目的下において、第１の発明は、通信装置と接続された表示部に映像を表示する機能を有する通信装置であって、当該通信装置と通信可能なリモート通信装置から、当該通信装置に対して送信される映像データと、当該映像データの数を示す第１の映像数情報とを受信する通信手段と、前記第１の映像数情報及び前記リモート通信装置以外から入力され、前記表示部に表示するための映像データの数を示す第２の映像数情報に基づいて、前記通信手段が受信した映像データ及び前記入力された映像データを前記表示部に表示するための第１の表示レイアウト情報を決定する決定手段と、前記決定手段によって決定された前記第１の表示レイアウト情報に従って、前記通信手段で受信した映像データと前記入力された映像データとを同一画面上に表示するように合成し、合成映像データを生成する第１の合成手段と、前記第１の合成手段によって生成された合成映像データに対応する映像を前記表示部に表示する表示手段と、を有することを特徴とする。
【手続補正６】
【補正対象書類名】明細書
【補正対象項目名】０００９
【補正方法】変更
【補正の内容】
【０００９】
第２の発明は、前記第１の発明において、前記通信手段は、前記第２の映像数情報を前記リモート通信装置に送信するとともに、前記リモート通信装置から送信される第２の表示レイアウト情報を受信し、さらに、前記通信装置は、前記通信手段によって受信した前記第２の表示レイアウト情報に基づいて、当該通信装置に前記リモート通信装置以外から入力された映像データを合成する第２の合成手段を有し、前記第２の合成手段で合成された映像データを前記通信手段が前記リモート通信装置に送信することを特徴とする。
【手続補正７】
【補正対象書類名】明細書
【補正対象項目名】００１０
【補正方法】変更
【補正の内容】
【００１０】
第３の発明は、前記第２の発明において、前記第１の合成手段は、前記第２の合成手段で合成された映像データと、前記リモート通信装置から送信された映像データとを合成することを特徴とする。
【手続補正８】
【補正対象書類名】明細書
【補正対象項目名】００１１
【補正方法】変更
【補正の内容】
【００１１】
第４の発明は、前記第１の発明において、前記決定手段は、前記第１の映像数情報または前記第２の映像数情報の少なくともいずれか一方が変化した場合には、表示レイアウト情報を再度決定することを特徴とする。
【手続補正９】
【補正対象書類名】明細書
【補正対象項目名】００１２
【補正方法】変更
【補正の内容】
【００１２】
第５の発明は、複数の映像を、通信装置と接続された表示部の画面上に表示する機能を有する通信装置の映像表示制御方法であって、当該通信装置と通信可能なリモート通信装置から、当該通信装置に対して送信される映像データと、当該映像データの数を示す第１の映像数情報とを受信する受信ステップと、前記第１の映像数情報及び前記リモート通信装置以外から入力され、前記表示部に表示するための映像データの数を示す第２の映像数情報に基づいて、前記受信ステップで受信した映像データ及び前記入力された映像データを前記表示部に表示するための第１の表示レイアウト情報を決定する決定ステップと、前記決定ステップによって決定された前記第１の表示レイアウト情報に従って、前記受信ステップで受信した映像データと前記入力された映像データとを同一画面上に表示するように合成し、合成映像データを生成する第１の合成ステップと、前記第１の合成ステップによって生成された合成映像データに対応する映像を前記表示部に表示する表示ステップと、を有することを特徴とする。
【手続補正１０】
【補正対象書類名】明細書
【補正対象項目名】００１３
【補正方法】変更
【補正の内容】
【００１３】
第６の発明は、前記第５の発明において、前記第２の映像数情報を前記リモート通信装置に送信する第１の送信ステップと、前記リモート通信装置から送信される第２の表示レイアウト情報を受信するレイアウト情報受信ステップと、受信した前記第２の表示レイアウト情報に基づいて、当該通信装置に前記リモート通信装置以外から入力された映像データを合成する第２の合成ステップと、前記第２の合成ステップで合成された映像データを前記リモート通信装置に送信する第２の送信ステップと、を有することとを特徴とする。
【手続補正１１】
【補正対象書類名】明細書
【補正対象項目名】００１４
【補正方法】変更
【補正の内容】
【００１４】
第７の発明は、前記第６の発明において、前記第１の合成ステップでは、前記第２の合成ステップで合成された映像データと、前記リモート通信装置から送信された映像データとを合成することを特徴とする。
【手続補正１２】
【補正対象書類名】明細書
【補正対象項目名】００１５
【補正方法】変更
【補正の内容】
【００１５】
第８の発明は、前記第５の発明において、前記決定ステップでは、前記第１の映像数情報または前記第２の映像数情報の少なくともいずれか一方が変化した場合には、表示レイアウト情報を再度決定することを特徴とする。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】